(57)【要約】      （修正有）【課題】送信局装置とマルチキャストグループを構成する複数の受信局装置との間でマルチキャスト伝送レートを常に最適な値に設定し、マルチキャストデータの確実な伝送を可能にする送信局装置および無線通信システムを提供する。【解決手段】複数の受信局装置のそれぞれに、所定のマルチキャスト伝送レートで疑似トレーニング信号を定期的にユニキャスト送信する送信手段と、疑似トレーニング信号に対する複数の受信局装置からのＡＣＫ応答を受信し、複数の受信局装置からのＡＣＫ応答の有無に応じてマルチキャスト伝送レートを高下させて疑似トレーニング信号のユニキャスト送信を繰り返し、複数の受信局装置のすべてからＡＣＫ応答があるときのマルチキャスト伝送レートを所定のマルチキャスト伝送レートとして決定するマルチキャスト伝送レート制御手段とを備える。【選択図】図１
2010161554.tif 000002
【特許請求の範囲】
【請求項１】
マルチキャストグループを構成する複数の受信局装置に、所定のマルチキャスト伝送レートでマルチキャストデータをマルチキャスト送信する送信局装置において、
前記複数の受信局装置のそれぞれに、前記所定のマルチキャスト伝送レートで疑似トレーニング信号を定期的にユニキャスト送信する送信手段と、
前記疑似トレーニング信号に対する前記複数の受信局装置からのＡＣＫ応答を受信し、前記複数の受信局装置からのＡＣＫ応答の有無に応じて前記マルチキャスト伝送レートを高下させて前記疑似トレーニング信号のユニキャスト送信を繰り返し、前記複数の受信局装置のすべてからＡＣＫ応答があるときのマルチキャスト伝送レートを前記所定のマルチキャスト伝送レートとして決定するマルチキャスト伝送レート制御手段と
を備えたことを特徴とする送信局装置。
【請求項２】
請求項１に記載の送信局装置において、
前記マルチキャスト伝送レート制御手段は、
前記所定のマルチキャスト伝送レートでユニキャスト送信した疑似トレーニング信号に対して前記複数の受信局装置のすべてからＡＣＫ応答があったときに、前記所定のマルチキャスト伝送レートを１段階高く設定して前記疑似トレーニング信号のユニキャスト送信を繰り返し、その繰り返しの中で前記複数の受信局装置の少なくとも１つからＡＣＫ応答がないときに前回のマルチキャスト伝送レートを前記所定のマルチキャスト伝送レートとして決定する機能と、
前記所定のマルチキャスト伝送レートでユニキャスト送信した疑似トレーニング信号に対して前記複数の受信局装置の少なくとも１つからＡＣＫ応答がないときに、前記所定のマルチキャスト伝送レートを１段階低く設定して前記疑似トレーニング信号のユニキャスト送信を繰り返し、その繰り返しの中で前記複数の受信局装置のすべてからＡＣＫ応答があったときにそのマルチキャスト伝送レートを前記所定のマルチキャスト伝送レートとして決定する機能とを含む
ことを特徴とする送信局装置。
【請求項３】
請求項１に記載の送信局装置において、
前記疑似トレーニング信号は、データ部がヌルのユニキャストフレームの受信局アドレスとして、前記マルチキャストグループを構成する各受信局装置のアドレスを割り当てた構成である
ことを特徴とする送信局装置。
【請求項４】
送信局装置からマルチキャストグループを構成する複数の受信局装置に、所定のマルチキャスト伝送レートでマルチキャストデータをマルチキャスト送信する無線通信システムにおいて、
前記送信局装置は、
前記複数の受信局装置に、前記所定のマルチキャスト伝送レートで疑似トレーニング信号を定期的にマルチキャスト送信する送信手段と、
前記疑似トレーニング信号に対する前記複数の受信局装置からのＡＣＫ応答を受信し、前記複数の受信局装置からのＡＣＫ応答の有無に応じて前記マルチキャスト伝送レートを高下させて前記疑似トレーニング信号のマルチキャスト送信を繰り返し、前記複数の受信局装置のすべてからＡＣＫ応答があるときのマルチキャスト伝送レートを前記所定のマルチキャスト伝送レートとして決定するマルチキャスト伝送レート制御手段とを備え、
前記受信局装置は、前記マルチキャスト送信された前記疑似トレーニング信号を正常に受信したときに、前記送信局装置にＡＣＫ応答を送信する応答手段を備えた
ことを特徴とする無線通信システム。
【請求項５】
請求項４に記載の無線通信システムにおいて、
前記マルチキャスト伝送レート制御手段は、
前記所定のマルチキャスト伝送レートでマルチキャスト送信した疑似トレーニング信号に対して前記複数の受信局装置のすべてからＡＣＫ応答があったときに、前記所定のマルチキャスト伝送レートを１段階高く設定して前記疑似トレーニング信号のマルチキャスト送信を繰り返し、その繰り返しの中で前記複数の受信局装置の少なくとも１つからＡＣＫ応答がないときに前回のマルチキャスト伝送レートを前記所定のマルチキャスト伝送レートとして決定する機能と、
前記所定のマルチキャスト伝送レートでマルチキャスト送信した疑似トレーニング信号に対して前記複数の受信局装置の少なくとも１つからＡＣＫ応答がないときに、前記所定のマルチキャスト伝送レートを１段階低く設定して前記疑似トレーニング信号のマルチキャスト送信を繰り返し、その繰り返しの中で前記複数の受信局装置のすべてからＡＣＫ応答があったときにそのマルチキャスト伝送レートを前記所定のマルチキャスト伝送レートとして決定する機能とを含む
ことを特徴とする無線通信システム。
【請求項６】
請求項４に記載の無線通信システムにおいて、
前記疑似トレーニング信号は、データ部がヌルのマルチキャストフレームの受信局アドレスとして、前記マルチキャストグループのマルチキャストアドレスを割り当てた構成である
ことを特徴とする無線通信システム。
【発明の詳細な説明】
【技術分野】
【０００１】
本発明は、送信局装置からマルチキャストグループを構成する複数の受信局装置にマルチキャストデータをマルチキャスト送信するときのマルチキャスト伝送レートを動的に設定する送信局装置および無線通信システムに関する。
【背景技術】
【０００２】
無線ＬＡＮシステムでは、無線基地局ＡＰと無線端末ＳＴＡとの間の距離が近い（回線品質が良い）場合には高速の伝送レートで通信を行い、両者の距離が遠い（回線品質が悪い）場合には低速の伝送レートに切り替えて通信を行うなど、広いサービスエリアで効率的に通信を行うための複数の伝送レートが規定されている。
【０００３】
ただし、無線基地局ＡＰからマルチキャストグループを構成する複数の無線端末ＳＴＡにマルチキャストデータのマルチキャスト送信するときには、最低速の伝送レートが選択されることが多い。この場合には、図６(1) に示すように、サービスエリアの端部で受信レベルの低く、回線品質が劣化している無線端末ＳＴＡ−Ｃにもマルチキャストデータが届く。しかし、無線基地局ＡＰでデータサイズが大きいマルチキャストデータが発生すると、当該マルチキャストデータをバッファリングし、伝送レートが低いために無線帯域を占有する時間が長くなる。このとき、無線基地局ＡＰと他の無線端末ＳＴＡ−Ａ，ＳＴＡ−Ｂとの間ではＶｏＩＰ(Voice over IP) 等のユニキャストデータのロスが発生し、伝送効率が著しく低下する。
【０００４】
一方、マルチキャスト伝送レートを大きくすると、無線帯域を占有する時間が長くなることはないので、ＶｏＩＰ等のユニキャストデータも送信機会が増えてロスはなくなる。しかし、図６(2) に示すように、サービスエリアの端部で受信レベルの低く、回線品質が劣化している無線端末ＳＴＡ−Ｃは、当該伝送レートでマルチキャストデータを受信することができない。しかも、マルチキャストデータは受信応答であるＡＣＫを返信しないので、マルチキャストデータを送信した無線基地局ＡＰは、回線品質劣化によるマルチキャストデータの不達を検知することができない。
【０００５】
このように、マルチキャスト伝送レートを低速側あるいは高速側に固定すると、前者の場合は無線帯域の占有時間が長くなることによるシステム全体の伝送効率が低下する問題が発生し、後者の場合は回線品質劣化やマルチキャストデータの不達を検知できない問題が発生する。
【０００６】
ところで、マルチキャスト伝送レートを動的に最適化する方法が提案されている（特許文献１）。この方法では、マルチキャストデータの宛先グループに応じてマルチキャスト伝送レートを選択することができる。また、ＶｏＩＰ（音声）やＶｉｄｅｏ（映像）のユニキャストデータのデータ量、例えばそれらのユニキャスト通信を行う無線端末接続数に応じて、マルチキャスト伝送レートを選択することができる。
【０００７】
この場合、図７(1) に示すように、無線基地局ＡＰに比較的近い（回線品質がよい）場所にマルチキャストの対象となる無線端末グループが固まっている状態で、ユニキャストデータの発生量が比較的少ないときは、無線基地局ＡＰがマルチキャスト伝送レートを高く設定することになる。その後、図７(2) に示すように、グループ内のある無線端末ＳＴＡ−Ｃがサービスエリアの端部に移動して回線品質が劣化した状態になると、先に設定したマルチキャスト伝送レートではマルチキャストデータの受信ができない。そのときは、上記のようにＡＣＫの返信がないので、無線基地局ＡＰは回線品質劣化によるマルチキャストデータの不達を検知することができない。
【発明の概要】
【発明が解決しようとする課題】
【０００８】
従来の方法では、時々刻々と変化する無線端末ＳＴＡ（受信局装置）の伝搬環境の変化に起因する回線品質の変動等に対して、無線基地局ＡＰ（送信局装置）はマルチキャスト伝送レートを動的に最適化するようになっていない。そのため、当初のマルチキャスト伝送レートで受信できていた無線端末ＳＴＡが、無線ＬＡＮサービスエリアの端部に移動して回線品質が劣化し、マルチキャストデータを受信できない状況になっても、マルチキャストデータに対するＡＣＫを返信しないために無線基地局ＡＰでその状況を知ることができない。
【０００９】
本発明は、送信局装置とマルチキャストグループを構成する複数の受信局装置との間でマルチキャスト伝送レートを常に最適な値に設定し、マルチキャストデータの確実な伝送を可能にする送信局装置および無線通信システムを提供することを目的とする。
【課題を解決するための手段】
【００１０】
第１の発明は、マルチキャストグループを構成する複数の受信局装置に、所定のマルチキャスト伝送レートでマルチキャストデータをマルチキャスト送信する送信局装置において、複数の受信局装置のそれぞれに、所定のマルチキャスト伝送レートで疑似トレーニング信号を定期的にユニキャスト送信する送信手段と、疑似トレーニング信号に対する複数の受信局装置からのＡＣＫ応答を受信し、複数の受信局装置からのＡＣＫ応答の有無に応じてマルチキャスト伝送レートを高下させて疑似トレーニング信号のユニキャスト送信を繰り返し、複数の受信局装置のすべてからＡＣＫ応答があるときのマルチキャスト伝送レートを所定のマルチキャスト伝送レートとして決定するマルチキャスト伝送レート制御手段とを備える。
【００１１】
第１の発明におけるマルチキャスト伝送レート制御手段は、所定のマルチキャスト伝送レートでユニキャスト送信した疑似トレーニング信号に対して複数の受信局装置のすべてからＡＣＫ応答があったときに、所定のマルチキャスト伝送レートを１段階高く設定して疑似トレーニング信号のユニキャスト送信を繰り返し、その繰り返しの中で複数の受信局装置の少なくとも１つからＡＣＫ応答がないときに前回のマルチキャスト伝送レートを所定のマルチキャスト伝送レートとして決定する機能と、所定のマルチキャスト伝送レートでユニキャスト送信した疑似トレーニング信号に対して複数の受信局装置の少なくとも１つからＡＣＫ応答がないときに、所定のマルチキャスト伝送レートを１段階低く設定して疑似トレーニング信号のユニキャスト送信を繰り返し、その繰り返しの中で複数の受信局装置のすべてからＡＣＫ応答があったときにそのマルチキャスト伝送レートを所定のマルチキャスト伝送レートとして決定する機能とを含む。
【００１２】
第１の発明における疑似トレーニング信号は、データ部がヌルのユニキャストフレームの受信局アドレスとして、マルチキャストグループを構成する各受信局装置のアドレスを割り当てた構成である。
【００１３】
第２の発明は、送信局装置からマルチキャストグループを構成する複数の受信局装置に、所定のマルチキャスト伝送レートでマルチキャストデータをマルチキャスト送信する無線通信システムにおいて、送信局装置は、複数の受信局装置に、所定のマルチキャスト伝送レートで疑似トレーニング信号を定期的にマルチキャスト送信する送信手段と、疑似トレーニング信号に対する複数の受信局装置からのＡＣＫ応答を受信し、複数の受信局装置からのＡＣＫ応答の有無に応じてマルチキャスト伝送レートを高下させて疑似トレーニング信号のマルチキャスト送信を繰り返し、複数の受信局装置のすべてからＡＣＫ応答があるときのマルチキャスト伝送レートを所定のマルチキャスト伝送レートとして決定するマルチキャスト伝送レート制御手段とを備え、受信局装置は、マルチキャスト送信された疑似トレーニング信号を正常に受信したときに、送信局装置にＡＣＫ応答を送信する応答手段を備える。
【００１４】
第２の発明におけるマルチキャスト伝送レート制御手段は、所定のマルチキャスト伝送レートでマルチキャスト送信した疑似トレーニング信号に対して複数の受信局装置のすべてからＡＣＫ応答があったときに、所定のマルチキャスト伝送レートを１段階高く設定して疑似トレーニング信号のマルチキャスト送信を繰り返し、その繰り返しの中で複数の受信局装置の少なくとも１つからＡＣＫ応答がないときに前回のマルチキャスト伝送レートを所定のマルチキャスト伝送レートとして決定する機能と、所定のマルチキャスト伝送レートでマルチキャスト送信した疑似トレーニング信号に対して複数の受信局装置の少なくとも１つからＡＣＫ応答がないときに、所定のマルチキャスト伝送レートを１段階低く設定して疑似トレーニング信号のマルチキャスト送信を繰り返し、その繰り返しの中で複数の受信局装置のすべてからＡＣＫ応答があったときにそのマルチキャスト伝送レートを所定のマルチキャスト伝送レートとして決定する機能とを含む。
【００１５】
第２の発明における疑似トレーニング信号は、データ部がヌルのマルチキャストフレームの受信局アドレスとして、マルチキャストグループのマルチキャストアドレスを割り当てた構成である。
【発明の効果】
【００１６】
本発明は、送信局装置とマルチキャストグループを構成する複数の受信局装置との間で疑似トレーニング信号およびＡＣＫ応答を送受信し、各受信局装置からのＡＣＫ応答の有無に応じてマルチキャスト伝送レートを常に最適な値に設定することができる。これにより、マルチキャストグループを構成する各受信局装置の伝搬環境に変化があっても、各受信局装置にマルチキャストデータを確実に伝送することができる。
【図面の簡単な説明】
【００１７】
【図１】実施例１における無線基地局の構成例を示す図である。
【図２】マルチキャスト伝送レート制御部１５の制御手順を示すフローチャートである。
【図３】実施例１の動作例を説明する図である。
【図４】実施例２における無線基地局の構成例を示す図である。
【図５】実施例２の動作例を説明する図である。
【図６】従来のマルチキャスト伝送レートの設定による動作例を説明する図である。
【図７】従来のマルチキャスト伝送レートの設定による問題点を説明する図である。
【発明を実施するための形態】
【００１８】
本発明のマルチキャスト送信を行う無線通信システムについて、無線ＬＡＮシステムを例に説明する。すなわち、送信局装置は無線基地局ＡＰに対応し、受信局装置は無線端末ＳＴＡに対応する。以下に説明する実施例では、無線基地局ＡＰからマルチキャストグループを構成する複数の無線端末ＳＴＡにマルチキャストデータをマルチキャスト送信するときに、マルチキャスト伝送レートを動的に設定する無線基地局ＡＰの構成について説明する。
【実施例１】
【００１９】
図１は、実施例１における無線基地局の構成例を示す。
図において、無線基地局は、疑似トレーニング信号生成部１１、マルチキャストグループ記憶部１２、無線信号送受信部１３、ＡＣＫ応答処理部１４、マルチキャスト伝送レート制御部１５により構成される。
【００２０】
疑似トレーニング信号生成部１１は、マルチキャストグループ記憶部１２からマルチキャストグループを構成する複数の無線端末のアドレスを入力し、各無線端末のアドレスを宛先としてユニキャスト送信する疑似トレーニング信号を生成する。この疑似トレーニング信号は、例えばＭＡＣフレームを利用する場合には、ＭＡＣヘッダの受信局アドレスに各無線端末のアドレスを割り当て、データ部をヌル（０バイト）とする。このとき、疑似トレーニング信号をユニキャスト送信する伝送レートとして、マルチキャスト伝送レート制御部１５によってマルチキャスト伝送レートの初期値が設定される。
【００２１】
宛先として各無線端末のアドレスが設定された疑似トレーニング信号は、疑似トレーニング信号生成部１１から無線信号送受信部１３に入力され、マルチキャストグループを構成する各無線端末に対して順番に、マルチキャスト伝送レートの初期値でユニキャスト送信される。なお、この疑似トレーニング信号のユニキャスト送信は所定の周期で定期的に行われる。
【００２２】
この疑似トレーニング信号を受信した各無線端末は、それぞれＡＣＫ応答を返信する。無線基地局の無線信号送受信部１３は、マルチキャストグループを構成する各無線端末から送信されたＡＣＫ応答を順次受信し、ＡＣＫ応答処理部１４に通知する。ＡＣＫ応答処理部１４は、ユニキャスト送信した疑似トレーニング信号に対してＡＣＫ信号を返信してきた無線端末をマルチキャスト伝送レート制御部１５に通知する。マルチキャスト伝送レート制御部１５は、マルチキャストグループを構成する全無線端末からＡＣＫ応答が返信されたか否かを判定し、そのＡＣＫ応答の有無に応じたマルチキャスト伝送レートの最適値を決定するための制御を行う。
【００２３】
図２は、マルチキャスト伝送レート制御部１５の制御手順を示す。
図において、疑似トレーニング信号をユニキャスト送信するときに用いるマルチキャスト伝送レートの初期値を設定する（Ｓ１）。次に、マルチキャストグループの各無線端末に対して、疑似トレーニング信号をマルチキャスト伝送レートの初期値で送信するように制御する（Ｓ２）。次に、マルチキャストグループを構成する全無線端末からＡＣＫ応答が返信されたか否かを判定する（Ｓ３）。
【００２４】
マルチキャストグループを構成する全無線端末からＡＣＫ応答が返信された場合（Ｓ３のYes ）には、マルチキャスト伝送レートを１段階高く設定し、疑似トレーニング信号をマルチキャストグループの各無線端末に再度送信するように制御する（Ｓ４）。次に、マルチキャストグループを構成する全無線端末からＡＣＫ応答が返信されたか否かを判定し（Ｓ５）、全無線端末からＡＣＫ応答が返信された場合（Ｓ５のYes ）にはステップＳ４に戻る。一方、マルチキャストグループを構成する全無線端末の少なくとも１つからＡＣＫ応答が返信されない場合（Ｓ５のNo）には、現在設定しているマルチキャスト伝送レートより１段階低いレート、すなわち前回のマルチキャスト伝送レートをマルチキャスト送信に用いる伝送レートとして決定する（Ｓ６）。
【００２５】
また、ステップＳ３において、マルチキャストグループを構成する全無線端末の少なくとも１つからＡＣＫ応答が返信されない場合（Ｓ３のNo）には、マルチキャスト伝送レートの初期値を１段階低く設定し、疑似トレーニング信号をマルチキャストグループの各無線端末に再度送信するように制御する（Ｓ７）。次に、マルチキャストグループを構成する全無線端末からＡＣＫ応答が返信されたか否かを判定し（Ｓ８）、全無線端末の少なくとも１つからＡＣＫ応答が返信されない場合（Ｓ８のNo）にはステップＳ７に戻る。一方、マルチキャストグループを構成する全無線端末からＡＣＫ応答が返信された場合（Ｓ５のYes ）には、現在設定しているマルチキャスト伝送レートをマルチキャスト送信に用いる伝送レートとして決定する（Ｓ９）。
【００２６】
図３(1) は、疑似トレーニング信号がマルチキャストグループ内の各無線端末ＳＴＡ−Ａ，ＳＴＡ−Ｂ，ＳＴＡ−Ｃに順番にユニキャスト送信されるときに、無線端末ＳＴＡ−Ｃが無線ＬＡＮサービスエリアの端部に移動して回線品質が劣化し、疑似トレーニング信号を受信できない状況を示す。無線端末ＳＴＡ−Ｃは、当然にＡＣＫ応答を返信しない。図３(2) は、無線基地局ＡＰが疑似トレーニング信号の送信に用いるマルチキャスト伝送レートをＰ１からＰ２に１段階低く設定し、無線端末ＳＴＡ−Ｃが疑似トレーニング信号に対するＡＣＫ応答を返信し、マルチキャスト伝送レートがＰ２に決定された状況を示す。
【００２７】
このように疑似トレーニング信号をユニキャスト送信し、ＡＣＫ応答の有無に応じてマルチキャスト伝送レートを最適値に決定する制御は、所定の周期で定期的に行われる。これにより、マルチキャストグループ内の無線端末が移動して回線品質に変化があった場合でも、その時々の状況に応じて最適なマルチキャスト伝送レートが選択され、マルチキャストグループ内の全無線端末に対してマルチキャスト送信を行うことができる。
【実施例２】
【００２８】
図４は、実施例２における無線基地局の構成例を示す。
図において、無線基地局は、疑似トレーニング信号生成部２１、マルチキャストグループ記憶部１２、無線信号送受信部１３、ＡＣＫ応答処理部１４、マルチキャスト伝送レート制御部１５により構成される。なお、実施例１と同様の機能を有するものは同一符号を付している。
【００２９】
疑似トレーニング信号生成部２１は、マルチキャストグループ記憶部１２からマルチキャストグループのマルチキャストアドレスを入力し、マルチキャストグループに対してマルチキャスト送信する疑似トレーニング信号を生成する。この疑似トレーニング信号は、例えばＲＴＳ（Request to Send)フレームを利用する場合には、ＭＡＣヘッダの受信局アドレスにマルチキャストアドレスを割り当てる。このとき、疑似トレーニング信号をマルチキャスト送信する伝送レートとして、マルチキャスト伝送レート制御部１５によってマルチキャスト伝送レートの初期値が設定される。
【００３０】
宛先としてマルチキャストアドレスが設定された疑似トレーニング信号は、疑似トレーニング信号生成部１１から無線信号送受信部１３に入力され、マルチキャストグループを構成する各無線端末に対して、マルチキャスト伝送レートの初期値でマルチキャスト送信される。なお、この疑似トレーニング信号のマルチキャスト送信は所定の周期で定期的に行われる。
【００３１】
この疑似トレーニング信号を受信した各無線端末は、キャリアセンスおよびバックオフ制御により、競合しないタイミングでそれぞれＡＣＫ応答を返信する機能を有する。なお、通常の無線端末はマルチキャスト信号に対してはＡＣＫ応答は返信しない。無線基地局の無線信号送受信部１３は、マルチキャストグループを構成する各無線端末から送信されたＡＣＫ応答を順次受信し、ＡＣＫ応答処理部１４に通知する。ＡＣＫ応答処理部１４は、ユニキャスト送信した疑似トレーニング信号に対してＡＣＫ信号を返信してきた無線端末をマルチキャスト伝送レート制御部１５に通知する。マルチキャスト伝送レート制御部１５は、マルチキャストグループを構成する全無線端末からＡＣＫ応答が返信されたか否かを判定し、そのＡＣＫ応答の有無に応じたマルチキャスト伝送レートの最適値を決定するための制御を行う。このマルチキャスト伝送レート制御部１５における制御手順は、実施例１の図２で説明したものと同様である。
【００３２】
図５(1) は、疑似トレーニング信号がマルチキャストグループ内の各無線端末ＳＴＡ−Ａ，ＳＴＡ−Ｂ，ＳＴＡ−Ｃにマルチキャスト送信されるときに、無線端末ＳＴＡ−Ｃが無線ＬＡＮサービスエリアの端部に移動して回線品質が劣化し、疑似トレーニング信号を受信できない状況を示す。無線端末ＳＴＡ−Ｃは、当然にＡＣＫ応答を返信しない。図５(2) は、無線基地局ＡＰが疑似トレーニング信号の送信に用いるマルチキャスト伝送レートをＰ１からＰ２に１段階低く設定し、無線端末ＳＴＡ−Ｃが疑似トレーニング信号に対するＡＣＫ応答を返信し、マルチキャスト伝送レートがＰ２に決定された状況を示す。
【００３３】
このように疑似トレーニング信号をマルチキャスト送信し、ＡＣＫ応答の有無に応じてマルチキャスト伝送レートを決定する制御は、所定の周期で定期的に行われる。これにより、マルチキャストグループ内の無線端末が移動して回線品質に変化があった場合でも、その時々の状況に応じて最適なマルチキャスト伝送レートが選択され、マルチキャストグループ内の全無線端末に対してマルチキャスト送信を行うことができる。
【産業上の利用可能性】
【００３４】
本発明は、例えば無線ＬＡＮ経由のインターネット高速アクセスを提供する公衆無線ＬＡＮサービスなどにおいて、送信局装置からマルチキャストグループを構成する複数の受信局装置にマルチキャストデータを確実に送信する場合に有用である。
【００３５】
例えば、マルチキャスト伝送を最優先とするサービス（災害情報等の緊急告知サービス等）において、遮蔽物や天候等による伝搬環境の悪化によって所定のマルチキャスト伝送レートではマルチキャストデータが届かない状況を回避し、その伝搬環境に応じたマルチキャスト伝送レートに適宜変更することにより、確実なマルチキャスト伝送が可能になる。
【符号の説明】
【００３６】
１１，２１  疑似トレーニング信号生成部
１２  マルチキャストグループ記憶部
１３  無線信号送受信部
１４  ＡＣＫ応答処理部
１５  マルチキャスト伝送レート制御部
【先行技術文献】
【特許文献】
【００３７】
【特許文献１】特開２００７−３２９６１２号公報
【図１】
2010161554.tif 000003
【図２】
2010161554.tif 000004
【図３】
2010161554.tif 000005
【図４】
2010161554.tif 000006
【図５】
2010161554.tif 000007
【図６】
2010161554.tif 000008
【図７】
2010161554.tif 000009